(57)【要約】【課題】帯鋸盤の健全性を維持したまま、的確に、帯鋸の走行位置を定位置に保持することのできる帯鋸の制御装置を提供すること。【解決手段】走行する帯鋸４を通過させる空間部５を有する装置本体２ａと、空間部５内に流体を供給する流体供給手段７と、帯鋸４の走行位置を検出する走行位置検出手段と、走行位置検出手段の検出結果に基づいて、帯鋸４の両側面における流体の圧力を調整して、帯鋸４の位置を調整する制御手段２４とを備えた帯鋸の制御装置において、その制御手段２４が、装置本体２ａの空間部５内にて、帯鋸４の両側面側に対して進退可能に設けられたそれぞれのピストン２０と、これらピストン２０を進退動させるそれぞれの流体供給部２２，２３とを備えてなることを特徴とする。【選択図】        図２
2005066713.tif 000002
【特許請求の範囲】
【請求項１】
走行する帯鋸を通過させる空間部を有する装置本体と、前記空間部内にて前記帯鋸の一方の側面および他方の側面に潤滑用等の流体を供給する流体供給手段と、前記帯鋸の走行位置を検出する走行位置検出手段と、該走行位置検出手段の検出結果に基づいて、前記帯鋸の一方の側面側における前記流体の圧力および同他方の側面側における前記流体の圧力を調整して、該帯鋸の位置を調整する制御手段とを備えた帯鋸の制御装置において、
前記制御手段は、前記装置本体に設けられ、前記空間部内にて、前記帯鋸の一方の側面側に対して進退可能に設けられた一方のピストンと、同他方の側面側に対して進退可能に設けられた他方のピストンと、前記一方のピストンを進退動させる一方の流体供給部と、前記他方のピストンを進退動させる他方の流体供給部とを備えてなることを特徴とする帯鋸の制御装置。
【請求項２】
走行する帯鋸を通過させる空間部を有する装置本体と、前記空間部内にて前記帯鋸の一方の側面および他方の側面に潤滑用等の流体を供給する流体供給手段と、前記帯鋸の走行位置を検出する走行位置検出手段とを備えた帯鋸盤に対して、前記走行位置検出手段の検出結果に基づいて、前記帯鋸の一方の側面側における前記流体の圧力および同他方の側面側における前記流体の圧力を調整して、該帯鋸の位置を調整する制御方法であって、
前記空間部内にて、前記帯鋸の一方の側面側に対して進退可能に設けられた一方のピストンと、同他方の側面側に対して進退可能に設けられた他方のピストンとを進退動させることにより、前記帯鋸の位置を調整することを特徴とする帯鋸の制御方法。
【発明の詳細な説明】
【０００１】
【発明の属する技術分野】
本発明は、鋸引きして被切断体を切断する帯鋸の制御装置および制御方法に関するものである。
【０００２】
【従来の技術】
一般的な帯鋸盤の構成は、一対の回転ドラムに環状の帯鋸を巻回し、前記回転ドラムの一方または双方を回転させることによって、帯鋸を回動、走行させ、この走行する帯鋸の一部によって、各回転ドラム間に配置された被切断体を切断するようになっている。
ところで、この帯鋸盤においては、駆動源によって回転ドラムを回転させることから、装置全体に振動が発生し、被切断体を切断する周辺部において、切断作業に伴って帯鋸がぶれるという問題がある。
【０００３】
そこで、従来より、この種の帯鋸盤において、切断を行う近傍で帯鋸のブレを修正し、帯鋸を正常に走行させるための帯鋸の制御装置が提案されている。例えば、この種の装置として、走行する帯鋸を通過させる空間部を有する装置本体と、その空間部内に流体を供給する流体供給手段と、帯鋸の走行位置を検出する走行位置検出手段と、この走行位置検出手段の検出結果に基づいて、帯鋸の一方の側面側における流体の圧力および同他方の側面側における前記流体の圧力を調整して、その帯鋸の位置を調整する制御手段とを備えた帯鋸の制御装置が知られている（例えば、特許文献１参照。）。
この帯鋸の制御装置は、帯鋸の一方の側に供給する流体の圧力と、同他方の側に供給する流体の圧力とを調整することにより、帯鋸を定位置に保持するものである。
【０００４】
【特許文献１】
特開平８−２４３８３７号公報（第２−３頁、図４）
【０００５】
【発明が解決しようとする課題】
しかしながら、このような帯鋸の制御装置では、帯鋸の一方の面側に供給される流体圧と、同他方の面側に供給される流体圧とが、それぞれ局部的に供給される構成であるため、帯鋸が定位置から大きくぶれた場合に、帯鋸を的確に定位置に戻すことが困難であった。
また、この帯鋸の制御装置では、帯鋸に流体を供給する壁部に高い圧力が加わるため、この壁部が帯鋸側に湾曲してしまい、その結果、壁部の外面が帯鋸に接触して帯鋸の走行の障害となるという問題があった。
【０００６】
本発明は、このような事情に鑑みてなされたものであって、帯鋸盤の健全性を維持したまま、的確に、帯鋸の走行位置を定位置に保持することのできる帯鋸の制御装置を提供することを目的としている。
【０００７】
【課題を解決するための手段】
上記課題を解決するために、本発明は以下の手段を提供する。
請求項１に係る発明は、走行する帯鋸を通過させる空間部を有する装置本体と、前記空間部内にて前記帯鋸の一方の側面および他方の側面に流体を供給する流体供給手段と、前記帯鋸の走行位置を検出する走行位置検出手段と、該走行位置検出手段の検出結果に基づいて、前記帯鋸の一方の側面側における前記流体の圧力および同他方の側面側における前記流体の圧力を調整して、該帯鋸の位置を調整する制御手段とを備えた帯鋸の制御装置において、前記制御手段は、前記装置本体に設けられ、前記空間部内にて、前記帯鋸の一方の側面側に対して進退可能に設けられた一方のピストンと、同他方の側面側に対して進退可能に設けられた他方のピストンと、前記一方のピストンを進退動させる一方の流体供給部と、前記他方のピストンを進退動させる他方の流体供給部とを備えてなることを特徴とする。
【０００８】
請求項２に係る発明は、走行する帯鋸を通過させる空間部を有する装置本体と、前記空間部内にて前記帯鋸の一方の側面および他方の側面に潤滑用等の流体を供給する流体供給手段と、前記帯鋸の走行位置を検出する走行位置検出手段とを備えた帯鋸盤に対して、前記走行位置検出手段の検出結果に基づいて、前記帯鋸の一方の側面側における前記流体の圧力および同他方の側面側における前記流体の圧力を調整して、該帯鋸の位置を調整する制御方法であって、前記空間部内にて、前記帯鋸の一方の側面側に対して進退可能に設けられた一方のピストンと、同他方の側面側に対して進退可能に設けられた他方のピストンとを進退動させることにより、前記帯鋸の位置を調整することを特徴とする。
【０００９】
これらの発明に係る帯鋸の制御装置および制御方法によれば、一方の側のピストンと他方の側のピストンとが、帯鋸に対して進退動することによって、帯鋸の一方の側と他方の側との流体圧が制御され、これにより帯鋸の走行位置が定位置に保持される。
【００１０】
【発明の実施の形態】
以下、本発明の一実施形態に係る帯鋸の制御装置について、図面を参照して説明する。
図１は、本発明の一実施形態である帯鋸の制御装置を備えた帯鋸盤の全体構成を示したものである。
【００１１】
この図１において、符号１は、帯鋸盤を示したものである。そして、符号３は、回転ドラムを示しており、これら回転ドラム３には、帯鋸４が巻回されている。帯鋸４の直線部４ａの長さ方向の中央部は、被切断体Ｗを切断するための切断部４ｂとされており、この切断部４ｂにおいて、被切断体Ｗが帯鋸４によって切断される構成となっている。
【００１２】
切断部４ｂの両側方には、それぞれ帯鋸の制御装置２が設けられている。
そして、帯鋸の制御装置２は、装置本体２ａと走行位置センサ（走行位置検出手段）２ｂとを備えている。装置本体２ａは、図２に示すように、走行する帯鋸４を通過させる空間部５を有する装置本体壁部６と、空間部５内にて帯鋸４の一方の側面および他方の側面に流体を供給する流体流入部（流体供給手段）７とを有している。流体流入部７は、空間部５と装置本体壁部６の外方とを貫通する流体流入孔７ａと、この流体流入孔７ａに接続された管路７ｃと、この管路７ｃに介装された制御弁７ｂとを備えており、制御弁７ｂを開放することにより、冷却水、切削油、潤滑油などの流体が管路７ｃ、流体流入孔７ａを通して空間５内に流入されるようになっている。
【００１３】
また、装置本体壁部６は、第１の壁部６ａと第２の壁部６ｂとからなっており、第１、第２の壁部６ａ，６ｂ間には、それぞれ凹部８が形成されている。これら凹部８は互いに対向して設けられており、これらの凹部８と空間部５とにより、装置本体壁部６内に、一つの空間を形成するように、第１、第２の壁部６ａ，６ｂが接合された構成とされている。そして、この空間内を帯鋸４が走行するようになっている。これら凹部８の後方には、凹部８に連続してそれぞれチャンバー９が形成されている。各チャンバー９内には、帯鋸４の一方の面側に進退可能にそれぞれピストン２０が配置されており、これらピストン２０とチャンバー９内の壁面との間には、両者間をシールする凹リング２１が設けられている。
【００１４】
また、これら各チャンバー９とそれぞれの第１、第２の壁部６ａ，６ｂの外面との間には、貫通孔１０がそれぞれ形成されている。貫通孔１０には、管路２２が接続されており、この管路２２には、制御弁２３が介装されている。そして、制御弁２３を開放することにより、管路２２、貫通孔１０を介して、チャンバー９内に、流体が供給されるようになっている。すなわち、貫通孔１０、制御弁２３および管路２２は流体供給部として機能するものである。
また、走行位置センサ（走行位置検出手段）２ｂは、図１に示すように、装置本体２ａの近傍に設けられている。さらに、走行位置センサ２ｂの近傍には、図２に示すように、走行位置センサ２ｂからの検出結果が入力される制御部（制御手段）２４が設けられている。そして、走行位置センサ２ｂからの検出結果が制御部２４に入力されると、その検出結果に基づいて、制御部２４によって、制御弁２３の開閉動作がなされ、チャンバー９内への流体の供給量が制御されるようになっている。
【００１５】
次に、このように構成された本実施形態に係る帯鋸の制御装置２の作用について説明する。
まず、図１に示すように、いずれか一方または双方の回転ドラム３が、図示しない駆動部によって回転駆動されると、これら回転ドラム３に巻回された帯鋸４が走行させられる。そして、帯鋸４の切断部４ｂにおいて、所定の位置に設置された被切断体Ｗの切断加工がなされる。
このとき、調整弁７ｂを開け、流体流入孔７ａを介して空間部５内に冷却水を供給することにより、帯鋸４の両側面が常時冷却され、摩擦熱による帯鋸４の極度の温度上昇が防止される。
【００１６】
これら切断加工の際、帯鋸４の走行位置は以下のようにして定位置に保持されることになる。すなわち、帯鋸４に、その走行方向に交差する方向にたわみが生じると、走行位置センサ２ｂがそのたわみを検知して、所定の出力信号を制御部２４に供給する。出力信号を受けた制御部２４は、その信号に応じて、所定の制御弁２３の開度を調整し、管路２２、貫通孔１０を介して、チャンバー９内に流体を流入させる。その結果、チャンバー９内の圧力を変化させ、ピストン２０が帯鋸４に向けて移動させられる。したがって、ピストン２０により、冷却水で満たされた空間部５を介して、帯鋸４が押し戻される。
【００１７】
例えば、帯鋸４が、たわみの生じていない定位置から矢印Ａ方向に変位している場合には、矢印Ａ方向に形成されたチャンバー９内の圧力が高くなるように流体の流量が制御され、これによって矢印Ａ側のピストン２０が矢印Ｂ方向に移動させられる。そして、ピストン２０により、空間部５を介して、帯鋸４が押し戻される。一方、このとき矢印Ｂ方向のピストン２０は、そのチャンバー内の流量が制御され矢印Ｂ方向に移動させられる。これにより、帯鋸４は矢印Ａ方向に変位した状態から、たわみの無い定位置に戻されることになる。
また、上記と逆に、帯鋸４が矢印Ｂ方向に変位した場合には、上記と逆の動作により、帯鋸４が定位置に戻されることになる。
【００１８】
以上より、本実施形態に係る帯鋸の制御装置２によれば、流体の圧力によりピストン２０を移動させるため、局部的に流体圧力を直接帯鋸４に加える場合と比較して、帯鋸４を押し戻す際の接触面積、すなわち制御面積を大きくすることができ、帯鋸４が定位置から大きくぶれた場合であっても、その帯鋸４を的確に定位置に戻すことができる。
また、チャンバー内に高い圧力がかかっても、ピストン２０全体が平行移動するため、そのいずれか一部に圧力が集中することなく、ピストン２０の全体にわたって均一に圧力が加わることになる。したがって、ピストン２０が、帯鋸４に向けて湾曲することにより回転ドラム３の回転運動のブレーキとなるのを防止することができる。そのため、帯鋸４の走行に悪影響を与えることがない。
【００１９】
なお、上記の実施の形態において、帯鋸４に、その長さ方向にわたって、複数の孔を設けることにしてもよい。これにより、帯鋸４にたわみが生じたとき、その曲げ応力をその孔から逃げ易くさせ、帯鋸４の定位置への復帰を迅速に行うことができる。
【００２０】
【発明の効果】
以上のように、本発明によれば、流体圧の制御によって一方の側のピストンと他方の側のピストンとを、帯鋸に対して進退動させるため、帯鋸が定位置から大きくぶれた場合であっても、帯鋸の走行に影響を与えずに、その帯鋸を的確に定位置に戻すことができる。
【図面の簡単な説明】
【図１】本発明の一実施形態に係る帯鋸の制御装置と、その帯鋸の制御装置を適用した帯鋸盤を示す概略構成図である。
【図２】同実施形態における要部の構成を示す縦断側面図である。
【符号の説明】
２ａ  装置本体
２ｂ  走行位置センサ（走行位置検出手段）
４    帯鋸
５    空間部
７    流体流入部（流体供給手段）
１０  貫通孔（流体供給部）
２０  ピストン
２２  管路（流体供給部）
２３  制御弁（流体供給部）
２４  制御部（制御手段）
【図１】
2005066713.tif 000003
【図２】
2005066713.tif 000004